(57)【要約】  【課題】  使用方法が易しく、皮膚の皺のばしやリフトアップ効果が期待できるフェイスマスク。  【解決手段】  シート体により形成されたフェイスマスクであって、顔面を覆うための本体部と、前記シート体を切り込むことで形成された局所引っ張り部を備え、前記局所引っ張り部は、前記本体部に接続した根本部と、当該根本部から延出した延出部と、当該延出部の末端であって使用者がつまむ部分となる止め部を備える。【選択図】  図１
2019063343.tif 000002
【特許請求の範囲】
【請求項１】
シート体により形成されたフェイスマスクであって、
顔面を覆うための本体部と、
前記シート体を切り込むことで形成された局所引っ張り部を備え、
前記局所引っ張り部は、
前記本体部に接続した根本部と、
当該根本部から延出した延出部と、
当該延出部の末端であって使用者がつまむ部分となる止め部と、を備える
ことを特徴とするフェイスマスク。
【請求項２】
シート体により形成されたフェイスマスクであって、
顔面を覆うための本体部と、
前記シート体を開口する開口部と、
前記開口部に貼り付ける別シート体で形成された局所引っ張り部を備え、
前記局所引っ張り部は、
延出部と、
当該延出部の末端であって使用者がつまむ部分となる止め部と、を備える
ことを特徴とするフェイスマスク。
【請求項３】
請求項１または２に記載のフェイスマスクであって、
前記局所引っ張り部は、目じり、ほうれい線、額、瞼のいずれか１つ以上の部位を引き伸ばす位置に設けられている
ことを特徴とするフェイスマスク。
【請求項４】
請求項１に記載のフェイスマスクであって、
前記止め部は、
当該止め部の大きさより大きく切り抜かれた、切り抜き領域に配されており、
前記止め部の、根本部と反対方向には、前記止め部を引っ張りながら皮膚に密着させて止めた場合に、シート体同士が重なることがないための、シート欠如領域が設けられている
ことを特徴とするフェイスマスク。
【請求項５】
請求項１に記載のフェイスマスクであって、
前記本体部は、顔面を部分的に覆う
ことを特徴とするフェイスマスク。
【請求項６】
請求項１または２に記載のフェイスマスクであって、
前記本体部は、部分的に粘着力が異なる
ことを特徴とするフェイスマスク。
【請求項７】
請求項６に記載のフェイスマスクであって、
前記粘着力は、前記本体部の外周縁部分のみ粘着力が強い
ことを特徴とするフェイスマスク。
【請求項８】
請求項３に記載のフェイスマスクであって、
前記局所引っ張り部は、前記本体部よりも粘着力が強い
ことを特徴とするフェイスマスク。
【請求項９】
請求項３に記載のフェイスマスクであって、
前記局所引っ張り部には、接着剤が形成されている
ことを特徴とするフェイスマスク。
【発明の詳細な説明】
【技術分野】
【０００１】
本発明は、フェイスマスクに関する。
【背景技術】
【０００２】
化粧水や美容液等の美容効果のある液体を顔面に塗布するために、紙、織布又は不織布等の液体含浸性を有する可塑性のシート状のフェイスマスクが用いられる。
【０００３】
フェイスマスクを顔面に載置することで、フェイスマスクが含浸している化粧水等の液体を顔面の皮膚に接触させることができ、液体の美容効果を効率的に作用させることができるとされている。
【先行技術文献】
【特許文献】
【０００４】
【特許文献１】特開２０１５−１５６９９６号公報
【発明の概要】
【発明が解決しようとする課題】
【０００５】
一方で、皮膚の皺のばしやリフトアップを簡単に行いたいという要望があるものの、従来のフェイスマスクでは、この要望に十分に応えられていない。
【０００６】
そこで本発明は、使用方法が易しく、皮膚の皺のばしやリフトアップ効果が期待できるフェイスマスクを提供することを目的とする。
【課題を解決するための手段】
【０００７】
上記課題を解決するために、本願発明は例えば、シート体により形成されたフェイスマスクであって、顔面を覆うための本体部と、前記シート体を切り込むことで形成された局所引っ張り部を備え、前記局所引っ張り部は、前記本体部に接続した根本部と、当該根本部から延出した延出部と、当該延出部の末端であって使用者がつまむ部分となる止め部と、を備える。
【０００８】
あるいは、シート体により形成されたフェイスマスクであって、顔面を覆うための本体部と、前記シート体を開口する開口部と、前記開口部に貼り付ける別シート体で形成された局所引っ張り部を備え、前記局所引っ張り部は、延出部と、当該延出部の末端であって使用者がつまむ部分となる止め部と、を備える。
【０００９】
前記局所引っ張り部は、目じり、ほうれい線、額、瞼のいずれか１つ以上の部位を引き伸ばす位置に設けられる。
【００１０】
前記止め部は、当該止め部の大きさより大きく切り抜かれた、切り抜き領域に配されており、前記止め部の、根本部と反対方向には、前記止め部を引っ張りながら皮膚に密着させて止めた場合に、シート体同士が重なることがないための、シート欠如領域が設けられていてもよい。
【００１１】
前記本体部は、顔面を部分的に覆うものであってもよい。
【００１２】
前記局所引っ張り部は、前記本体部よりも粘着力が強くなっていてもよい。
【００１３】
または、前記局所引っ張り部には、接着剤が形成されていてもよい。
【発明の効果】
【００１４】
本発明によれば、使用方法が易しく、皮膚の皺のばしやリフトアップ効果が期待できるフェイスマスクが提供される。
【図面の簡単な説明】
【００１５】
【図１】第一の実施形態に係るフェイスマスク１０Ａの概略図である。
【図２】第一の実施形態に係るフェイスマスク１０Ａの使用状態を示す図である。
【図３】第一の実施形態の変形例に係るフェイスマスク１０Ｂの概略図である
【図４】第二の実施形態に係るフェイスマスク１０Ｃの概略図である。
【図５】第二の実施形態の変形例に係るフェイスマスク１０Ｄの概略図である。
【図６】第三の実施形態に係るフェイスマスク１０Ｅの概略図である。
【図７】局所引っ張り部２５の使用方法を説明するための図である。
【図８】第三の実施形態の変形例に係るフェイスマスク１０Ｆの概略図である。
【図９】第三の実施形態の変形例に係るフェイスマスク１０Ｇの概略図である。
【図１０】第三の実施形態の変形例に係るフェイスマスク１０Ｈの概略図である。
【図１１】第三の実施形態の変形例に係るフェイスマスク１０Ｉの概略図である。
【図１２】第四の実施形態に係るフェイスマスク１０Ｊの概略図である。
【図１３】フェイスマスクＪの鼻形状保持部材３８の概略図である。図１３（Ａ）は、平面図であり、図１３（Ｂ）は、使用状態を横から見た図である。
【図１４】第三の実施形態の別の変形例に係るフェイスマスク１０Ｋの概略図である。
【図１５】第三の実施形態の別の変形例に係るフェイスマスク１０Ｋの概略図である。
【図１６】第三の実施形態の別の変形例に係るフェイスマスク１０Ｋの概略図である。
【発明を実施するための形態】
【００１６】
本発明が適用された例である実施形態について、以下、図に基づいて説明する。
【００１７】
＜第一の実施形態＞
図１は、第一の実施形態に係るフェイスマスク１０Ａの概略図である。図２は、第一の実施形態に係るフェイスマスク１０Ａの使用状態を示す図である。
【００１８】
フェイスマスク１０Ａは、紙、織布又は不織布等の可撓性、伸縮性及び含水性を有するシート体を、人体の顔面の全面を被覆できるように、所定の形状及び大きさに裁断して形成されている。使用時は、シート体に化粧液、美容液や保湿液などのパック液を吸い込ませる。そして、吸い込ませたシート体と皮膚との相互作用により皮膚に密着させ貼り付けることができる。
【００１９】
または、フェイスマスク１０Ａのシート体には、粘着性を持たせた化粧液、美容液や保湿液が塗布、または、含有してあり、剥離紙が貼り合わされていてもよい。人体の顔面の全面を被覆できるように、所定の形状及び大きさに裁断されている。使用時は、剥離紙を剥がし、皮膚に貼り付けるようすることができる。
【００２０】
フェイスマスク１０Ａには、本体部１１に、目部１２、鼻部１３、口部１４、延長部１６、１７、スリット１５、紐吊部１８が形成されている。
【００２１】
本体部１１は、顔全体を覆うための、略円形状のシート体である。
【００２２】
一対の目部１２は、顔面における左右一対の目に対応し、各々が横長の楕円形状の切り抜き孔で構成されている。なお、一対の目部１２は、完全に切り抜いて形成するのではなく、一部を連結したままの山状の切込み（例えば、Ｕ字を逆さにした形状の切り込み）として、使用時にめくることで、目に相当する部分に貫通孔が出来上がる構造としてもよい。
【００２３】
鼻部１３は、顔面の鼻翼及び鼻孔に対応し、略Ｕ字状の切込線で構成されている。
【００２４】
口部１４は、顔面の口に対応し、横方向に長い楕円形状の切り抜き孔で構成されている。
【００２５】
スリット１５は、本体部１１の縁から内部方向に向かった複数の切込みである。スリット１５は、図２に示すように、フェイスマスク１０Ａが使用者の顔の形状に沿わせて密着しやすいように設けられている。
【００２６】
紐吊部１８は、本体部１１を顔の上方に吊り上げるために使用される部分であり、紐や帯などの引き具を取り付けるための引き具取付部である。紐吊部１８は、例えば、本体部１１の上方（額（ひたい）に相当する部分）の縁に設けられた２つの孔である。図２に示すように、紐吊部１８の孔に紐１８１を通して、後頭部方向に引っ張ることで、本体部１１を顔の上方に引っ張ることができる。そして、本体部１１の額に相当する部分の皮膚を上方に引き伸ばすことができる。なお、紐１８１は、使用者の後頭部にヘアバンドなどで取り付けてもよいし、髪を束ねたヘアゴムに取り付けるようにしてもよい。
【００２７】
延長部１６、１７は、鰓（えら）付け用の延長部１６と、顎（あご）付け用の延長部１７とを有する。
【００２８】
鰓付け用の延長部１６は、本体部１１の頬に相当する部分から延長し、外側方向に突出して伸びたタブ状の部分である。図２に示すように、顔の鰓に張り付くことができるので、本頬付近の皮膚を、鰓方向に引っ張り、引き伸ばすことができる。顔の部分や全体のリフトアップを可能とする。
【００２９】
顎付け用の延長部１７は、本体部１１の顎に相当する部分から延長し、外側方向に突出して伸びたタブ状の部分である。図２に示すように、顎の裏に張り付くことができるので、顎付近の皮膚を、顎の裏方向に引っ張り、引き伸ばすことができる。
【００３０】
また、延長部１６、１７が、鰓や顎の裏に貼りつくことで、紐吊部１８により本体部１１が頭の上方向に引っ張られた場合でも、本体部１１が顔面から外れたり、ずれたりすることを防止することができる。
【００３１】
以上、第一の実施形態のフェイスマスク１０Ａについて説明した。このフェイスマスク１０Ａによれば、上方へ引っ張る紐吊部１８と、鰓と顎裏に密着し、耳下方向および顎方向に引っ張ることが可能な延長部１６、１７により、顔面の皮膚の引き伸ばし力を向上することができる。
【００３２】
なお、延長部１６、１７は、鰓用と顎用の両方を設けてもよいし、いずれか一方であってもよい。あるいは、延長部１６、１７を設けず、本体部１１の外周縁部と外周縁部以外の部分で粘着力の強度が異なるように形成してもよい。具体的には、本体部１１の外周縁部の粘着力が、本体部１１の外周縁部以外の部分よりも強くなるようにし、外周縁部の粘着力は、本体部１１の他の部分の粘着力よりも１．２〜２倍、強い粘着力を有するように形成される。例えば、本体部１１の外周縁部分のみに水分を吸収すると粘着力が強くなる成分を混ぜて形成すれば、本体部１１の外周縁部以外の部分と外周縁部で粘着力が異なるようにすることができる。これにより、本体部１１のみによる顔面への接着よりも、より皮膚に対して強く接着することができる。
【００３３】
なお、本体部１１の外周縁部の全体が強い粘着力を有していなくてもよく、外周縁部の一部分のみ他よりも強い粘着力を有するようにしてもよい。または、本体部１１の中央から外周縁部に向かって、粘着力が強くなるようにしてもよい。
【００３４】
なお、粘着力は次のように測定する。本実施形態では、粘着力は絆創膏程度の強度のものとし、ＪＩＳ  Ｚ  ０２３７の規格に基づく粘着力試験により測定される粘着力を指し、結果は、Ｎ／１０ｍｍで記録される。
【００３５】
また、紐吊部１８は、必ずしも備えていなくても良い。
【００３６】
また、図３のフェイスマスク１０Ｂに示すように、鰓や顎方向に紐吊部１８ｎを設けても良く、紐吊部１８ｎの紐は、顎や耳にかけて使用するようにしても良い。また、後頭部等に回して掛けたり、首裏方向、または、肩方向に引いても良い。より顔全体の頭部方向へのリフトアップが期待できる。
【００３７】
また、紐の位置は、上記で示した位置でなくとも良い。紐を帯やゴムなどとしても良く、その数に制限はなく、増減しても良いし、設けなくてもよい。
【００３８】
＜第二の実施形態＞
図４は、第二の実施形態に係るフェイスマスク１０Ｃの概略図である。上記実施形態と同様の部分は説明を省略し、異なる部分について主に説明する。
【００３９】
本実施形態のフェイスマスク１０Ｃは、部分的な皮膚の引っ張り（皺の引き伸ばし、リフトアップ等）のための局所引っ張り部２１を備える。
【００４０】
局所引っ張り部２１は、本体部１１のシート体に設けられたＵ字状の切込みにより実現されている。
【００４１】
局所引っ張り部２１は、シート体から切り離されずに連結している根本部Ｒと、根本部Ｒから突出した形状の延出部Ｅと、延出部の末端の止め部Ｔとを有する。
【００４２】
ほうれい線を引き伸ばすための局所引っ張り部２１は、口部１４の左右斜め上に設けられており、口角のやや上に根本部Ｒが位置し、耳の方向へ延出部Ｅが延び、止め部Ｔに至るように、本体部１１のシート体に切込みが入れられている。
【００４３】
目じりの皺を引き伸ばすため（あるいは、上まぶたのリフトアップのため）の局所引っ張り部２１は、左右の目部１２の斜め上に設けられており、目じりのやや上に根本部Ｒが位置し、斜め上方向へ延出部Ｅが延び、止め部Ｔに至るように、本体部１１のシート体に切込みが入れられている。
【００４４】
額（ひたい）の皺を引き伸ばすため（あるいは、眉間付近のリフトアップのため）の局所引っ張り部２１は、額（ひたい）の位置に設けられており、眉間の根本部Ｒが位置し、頭頂部方向へ延出部Ｅが延び、止め部Ｔに至るように、本体部１１のシート体に切込みが入れられている。額（ひたい）の皺は、他の小皺部分と比較して、大きいので、額（ひたい）の局所引っ張り部２１は、大き目に形成されている。
【００４５】
使用者は、本体部１１を顔面に被せたのち、各局所引っ張り部２１について、止め部Ｔをつまんで根本部Ｒと反対方向に引っ張って、皮膚の皺を延ばした後、止め部Ｔを貼りつける。止め部Ｔは、濡れたシート体の一部であるので、ある程度の貼り付き力を持ち、伸縮性を有しており引き伸ばせるため、皮膚または付近のシート体に重ねて貼りつけることができる。
【００４６】
以上、第二の実施形態について説明した。本実施形態によれば、局所的な皮膚の引っ張り、局所的な皺の引き伸ばしを容易に行うことが可能となる。シート体の有する弾性により、気になる部位のみを強く引っ張ったり、引き伸ばしたりすることが可能となる。
【００４７】
なお、延長部１６、１７は設けずに、局所引っ張り部２１を備える形態であってもよい。また、本体部１１の外周縁を本体部１１の外周縁部以外の部分と粘着力の強度が同じになるように形成しても、粘着力の強度が異なるように形成してもよい。
【００４８】
あるいは、局所引っ張り部２１のみ、本体部１１と粘着力が異なるように形成してもよい。局所引っ張り部２１のみ、本体部１１の粘着力よりも強い粘着力を有するように形成すれば、より気になる部位のみを強く引っ張り、皺の引き伸ばしを容易に行うことができる。
【００４９】
＜第二の実施形態の変形例＞
図５は、第二の実施形態の変形例に係るフェイスマスク１０Ｄの概略図である。
【００５０】
フェイスマスク１０Ｄは、瞼を引き上げるための局所引っ張り部２４を備えている。すなわち、本体部１１の目部１２の上の眉毛の位置付近に、上瞼の形状に沿って、逆Ｕ字状の切込みが形成されている。切り込みは、図５に示すように、三日月状に切り抜かれていても良い。そうすれば、止め部Ｔを上方向に引っ張ってから貼り付けた場合に、シート体に重ならずに皮膚に貼り付けることができ、貼り付き力の向上が期待できる。
【００５１】
また、鰓用の延長部１６、顎用の延長部１７には、その縁に、粘着テープ（粘着材）が形成されており、皮膚に対して、強く接着できるようになっている。フェイスマスク１０Ｄのシート体は、吸水性があり、皮膚にある程度密着する作用があるが、粘着テープ３１により、皮膚から外れることをより確実に防止することができる。これにより、皮膚を強く引っ張った状態で長い時間保持することが可能となる。あるいは、延長部１６、１７と本体部１１の境に、さらに粘着テープを設けてもよい。粘着テープの強度は、延長部１６、１７の縁に設けた粘着テープと同じ強度であってもよいし、異なる強度に形成されていてもよい。
【００５２】
また、本体部１１の上端の縁に、紐吊部１８の代わりに、外側に延長した額部用の延長部１８ｔを設け、粘着テープ３１を設けている。これにより、額（ひたい）部分に張り付いたシート体が外れるのを防止することができる。
【００５３】
粘着テープの粘着材は、皮膚に接着できるものであれば、特に制限はない。絆創膏用の粘着テープの材料（例えば、アクリル系粘着剤、天然ゴム系粘着剤、合成ゴム系粘着剤）を用いることができる。
【００５４】
粘着テープには、あらかじめ剥離紙を貼っておいても良いのは、言うまでもない。
また、本体部１１と延長部１６、１７、１８ｔとの境目を含む、本体部１１の外周縁部に、本体部１１の外周縁部以外の部分よりも強い粘着力を有するように形成されていてもよい。さらに、延長部１６、１７、１８ｔの粘着テープ３１の粘着力を、本体部１１の周縁部の粘着力よりも強い粘着力を有するように形成してもよい。この様に周囲をより強力な粘着剤で固定することで、局所引っ張り部の効果が出やすくなる。
なお、延長部１６、１７、１８ｔは、設けられなくてもよい。
【００５５】
＜第三の実施形態＞
図６は、第三の実施形態に係るフェイスマスク１０Ｅの概略図である。上記実施形態と同様の部分は説明を省略し、異なる部分について主に説明する。
【００５６】
本体部１１の外周縁全体に周辺延長部１６ａを設け、周辺延長部１６ａに、粘着部（粘着テープ）３２を設けている。
【００５７】
また、額用の局所引っ張り２４を、２本形成している。
【００５８】
ほうれい線用の局所引っ張り部２５は、本体部１１に連結している根本部Ｒと、根本部Ｒから耳の方向に延びた延出部Ｅと、延長部Ｅの末端の円状の止め部Ｔとを備えている。円状の止め部Ｔは、延長部Ｅよりも幅広になっている。止め部Ｔは、止め部Ｔの大きさより大きく切り抜かれた、切り抜き領域Ｓに配されている。止め部Ｔの、根本部Ｒと反対方向には、弾性を有する止め部Ｔを引っ張りながら皮膚に密着させて止めた場合に、シート体部材同士が重なることがないように、シート欠如領域Ｓが設けられている。
【００５９】
この構造により、図７に示すように、使用者は、止め部Ｔをつまんで、根本部Ｒ付近の皮膚を引っ張りながら、止め部Ｔを皮膚に密着させて止めることができる。止め部Ｓの面積を大きくすることで、皮膚との貼り付き力を向上させ、外れたり、ずれたりすることを防止することができる。円状の止め部Ｔの直径は、例えば、０．５〜２センチ、好ましくは、１〜１．５センチである。止め部Ｔは円状でなくても良く、その面積は、例えば、０．５〜５平方センチメートル、好ましくは、０．７〜３平方センチメートルである。
【００６０】
シート欠如領域Ｓの面積は、止め部Ｔの面積の１．２〜３倍、好ましくは、１．５〜２．５倍、より好ましくは、１．５〜２倍である。
【００６１】
また、本実施形態の場合、本体部１１、本体部１１の外周縁部、周辺延長部１６ａの順に粘着力が強くなるように形成することもできる。皮膚に強く接着されるので、動きながら使用をしてもフェイスマスク１０Ｅが顔から剥がれ落ちにくくなる。
【００６２】
図８は、第三の実施形態の変形例に係るフェイスマスク１０Ｆの概略図である。
【００６３】
図８に示すように、止め部Ｔの皮膚側の面に粘着テープ３４、３３が形成されていてもよい。これにより、皮膚が戻ろうとする力に対抗して止め部Ｔを皮膚に接着し続けることがより確実となる。
【００６４】
なお、止め部Ｔに粘着テープを設けず、本体部１１より粘着力を強くして形成されていてもよい。
【００６５】
図９は、第三の実施形態の他の変形例に係るフェイスマスク１０Ｇの概略図である。
【００６６】
図９に示すように、向かって左側のほうれい線用の局所引っ張り部２５は、切り抜き領域Ｓを設けず、本体部１１のシート体に切り込みが入れられた状態を示している。また、図９に示すように、向かって右側のほうれい線用の局所引っ張り部２５は、止め部Ｔを引っ張り、本体部１１のシート体に張り付けた状態を示している。止め部Ｔは、粘着テープが形成されているが、粘着テープを設けず、本体部１１より粘着力が強くなるように形成されていてもよい。または、止め部Ｔを、別テープで貼り付けて押さえてもよい。その際、本体部１１のシート体の表面は、止め部Ｔの粘着テープ等が接着する素材とする。
【００６７】
また、図１０のフェイスマスク１０Ｈに示すように、局所引っ張り部２５の延出部Ｅの皮膚側の面に、パック液が皮膚と密着しないための構造Ｆを備えていてもよい。
【００６８】
例えば、本体部１１は吸水性シート体で形成するものの、延出部Ｅの皮膚側の面は、パック液が浸透しない非吸水性（撥水性）の材料でコーティングする。または、皮膚に接触しないように浮き上がらせるため、湾曲するように、湾曲部材（アーチ部材）を取り付けるなどする。湾曲部材は、Ｖ字形状、Ｗ字形状であってもよい。
【００６９】
こうすることで、皮膚を引っ張った際に延出部Ｅの下に形成された皮膚の皺に対して、上から力が加わることを抑制し、延出部Ｅの下の皮膚に皺の跡に残ってしまうことを防止することができる。
【００７０】
また、延出部Ｅは、ゴムなどの弾性の部材とし、引き伸ばし時に弾力性を持たせるようにしてもよい。なお、アーチ状、Ｖ字形状、Ｗ字形状などの、湾曲した弾性の部材を設けてもよい。
【００７１】
あるいは、図１１のフェイスマスク１０Ｉに示すように、図１０のフェイスマスク１０Ｈで局所引っ張り部２５を設けていた部分のシート体に矩形の開口部Ｋを設けてもよい。この場合、局所引っ張り部２５ａは、両側に粘着テープを設けた別シート体として形成される。すなわち、根本部Ｒと止め部Ｔが粘着部を有するように形成される。局所引っ張り部２５ａの一方を本体部１１のシート体の口部１４の斜め上に接着して根本部Ｒとし、もう一方を止め部Ｔとしてつまんで、根本部Ｒと反対方向に引っ張って延長部Ｅを延ばした後、止め部Ｔを貼り付ける。局所引っ張り部２５ａは、本体部１１に前もって貼り付けられていても、本体部１１を顔面に貼り付けた後に、追加して貼り付けてもよい。
【００７２】
また、図１１のフェイスマスク１０Ｉに示すように、局所引っ張り部２５ａの延出部Ｅの皮膚側の面に、パック液が皮膚と密着しないための構造Ｆを備えていてもよい。
【００７３】
なお、局所引っ張り部２５ａは、根本部Ｒおよび止め部Ｔとなる部分に粘着テープを設けず、本体部１１より粘着力が強くなるように形成されていてもよい。
【００７４】
また、開口部Ｋは、矩形に限られず、例えば、楕円形であってもよい。
【００７５】
また、鼻部１３に、鼻腔を広げる部材を取り付けてもよい。広がる方向に付勢された弾性の板材３５を、鼻翼のやや上で、鼻背を跨るように、鼻部１３のシート体に取り付ける。板材３５の端部は、粘着剤を設けて、皮膚にしっかりと固定できるようにするのが好ましい。鼻腔を広げる部材により、本体部１１で顔全体を覆ったとき感じる、息苦しさを緩和することができる。
【００７６】
あるいは、図１２及び図１３に示すフェイスマスク１０Ｊのように、鼻部１３に、鼻形状保持部材３８を取り付けても良い。鼻部１３は、鼻柱を含むように下に突出した形状となるように、切り込まれている。鼻形状保持部材３８は、図１３に示すように、Ｔ字形状の弾性部材であり、山折りと谷折りの折り目（折り曲げ部）が形成されている。鼻形状保持部材３８は、鼻翼や鼻突（鼻尖）を両側から押さえたり、鼻橋基部付近を持ち上げたりすることで、鼻突を持ち上げる矯正部材である。鼻翼の両端と、鼻橋基部とで、皮膚に接着固定できるように、谷折りされ、粘着テープ３９が設けられている。鼻柱に相当する部分に、立ち上げ基礎３８ｔを形成し、粘着テープ３９で固定することで、鼻突を持ち上げたり、挟み込むことで、鼻突を挟み込み高く矯正することができる。
【００７７】
なお、鼻突先端にも粘着テープを用いることで、上方向に持ち上げることができるようにしても良い。
【００７８】
また、鼻形状保持部材は、鼻突（鼻突周辺を含む）を形成する鼻の形を形作るもので有り、その形状、構造、素材には制限はない。理想とする鼻の形を前もって形成した部材を設けても、取り付けても良い。
【００７９】
なお、鼻形状保持部材３８は、皮膚側の面に設けられているが、本体部１１のシート体の間に設けたり、皮膚側とは反対の面に設けられてもよい。あるいは、シート体の材料に織り込んだり、シート体に固着剤を吸引、塗布などにより部分的に形成してもよい。
【００８０】
例えば、鼻橋基部の挿入部は表面シート材と乳液シート材の間に設けたり、表面シート材の表面に張り付けても良い。さらには表面シート材に織り込んだり、表面シート材に固着材を部分的に吸引、塗布などにより部分的に形成しても良い。
【００８１】
なお、周辺延長部１６ａ及び粘着部３２は、設けられていなくてもよい。
【００８２】
図１２〜１４は、第三の実施形態のさらに別の変形例に係るフェイスマスク１０Ｉの概略図である。
【００８３】
図１２に示すように、フェイスマスク１０Ｉは、実線で表した両頬と顎部分が覆われれるように形成した部分本体部Ｐが、ほうれい線用の局所引っ張り部２５のみを有し、部分的に貼り付けて使用できるように形成されている。このフェイスマスク１０Ｉによれば、顔の中で部分的に気になる箇所の皺を効果的に引き伸ばすことができる。あるいは、図１３に示すように、片頬ずつに分けた部分本体部Ｐが、ほうれい線用の局所引っ張り部２５を有していてもよい。また、図１４に示すように額部分を覆う部分本体部Ｐに第二の実施形態で示した局所引っ張り部２１、２４を有するように形成することもできる。なお、フェイスマスク１０Ｉは、周辺延長部１６ａと粘着部３２を設けていなくてもよい。
【００８４】
なお、第二の実施形態で示した局所引っ張り部２１を有する部分本体部Ｐとして、目じりの皺を部分的に引き伸ばすフェイスマスクとすることもできる。
また、局所引っ張り部２１、２５のみ、粘着力が強くなるように形成することもできる。
【００８５】
以上、本願発明の実施形態の例について説明した。本願発明は、上記実施形態に限定されない。また、各実施形態及び変形例の各構成要素は、自由に組み合わせることが可能である。
【００８６】
局所引っ張り部の位置や数に制限はなく、皺のできやすい位置、リフトアップの願望が多い位置に設けることができる。
【符号の説明】
【００８７】
１０Ａ、１０Ｂ、１０Ｃ、１０Ｄ、１０Ｅ、１０Ｆ、１０Ｇ、１０Ｈ、１０Ｉ、１０Ｊ、１０Ｋ：フェイスマスク
１１：本体部
１２：目部
１３：鼻部
１４：口部
１５：スリット
１６、１７：延長部
１６ａ：周辺延長部
１８：紐吊部
２１、２４、２５、２５ａ：局所引っ張り部
３１、３４：粘着テープ
３５：板材
３８：鼻形状保持部材
１８１：紐
Ｅ：延長部
Ｆ：構造
Ｋ：開口部
Ｒ：根本部
Ｓ：シート欠如領域
Ｔ：止め部
Ｐ：部分本体部
【図１】
2019063343.tif 000003
【図２】
2019063343.tif 000004
【図３】
2019063343.tif 000005
【図４】
2019063343.tif 000006
【図５】
2019063343.tif 000007
【図６】
2019063343.tif 000008
【図７】
2019063343.tif 000009
【図８】
2019063343.tif 000010
【図９】
2019063343.tif 000011
【図１０】
2019063343.tif 000012
【図１１】
2019063343.tif 000013
【図１２】
2019063343.tif 000014
【図１３】
2019063343.tif 000015
【図１４】
2019063343.tif 000016
【図１５】
2019063343.tif 000017
【図１６】
2019063343.tif 000018
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
シート体により形成されたフェイスマスクであって、
顔面を覆うための本体部と、
前記シート体内部を切り込むことで形成された局所引っ張り部を備え、
前記局所引っ張り部は、
前記本体部に接続した根本部と、
当該根本部から延出した延出部と、
当該延出部の末端であって使用者がつまむ部分となる止め部と、を備える
ことを特徴とするフェイスマスク。
【請求項２】
シート体により形成されたフェイスマスクであって、
顔面を覆うための本体部と、
前記シート体を開口する開口部と、
前記開口部を覆う別シート体で形成された局所引っ張り部を備え、
前記局所引っ張り部は、
両端に粘着部を有している
ことを特徴とするフェイスマスク。
【請求項３】
請求項１または２に記載のフェイスマスクであって、
前記局所引っ張り部は、目じり、ほうれい線、額、瞼のいずれか１つ以上の部位を引き伸ばす位置に設けられている
ことを特徴とするフェイスマスク。
【請求項４】
請求項１に記載のフェイスマスクであって、
前記止め部は、
当該止め部の大きさより大きく切り抜かれた、切り抜き領域に配されており、
前記止め部の、根本部と反対方向には、前記止め部を引っ張りながら皮膚に密着させて止めた場合に、シート体同士が重なることがないための、シート欠如領域が設けられている
ことを特徴とするフェイスマスク。
【請求項５】
請求項１に記載のフェイスマスクであって、
前記本体部は、顔面を部分的に覆う
ことを特徴とするフェイスマスク。
【請求項６】
請求項１または２に記載のフェイスマスクであって、
前記本体部は、部分的に粘着力が異なる
ことを特徴とするフェイスマスク。
【請求項７】
請求項６に記載のフェイスマスクであって、
前記粘着力は、前記本体部の外周縁部分のみ粘着力が強い
ことを特徴とするフェイスマスク。
【請求項８】
請求項３に記載のフェイスマスクであって、
前記局所引っ張り部は、前記本体部よりも粘着力が強い
ことを特徴とするフェイスマスク。
【請求項９】
請求項３に記載のフェイスマスクであって、
前記局所引っ張り部には、接着剤が形成されている
ことを特徴とするフェイスマスク。
【手続補正２】
【補正対象書類名】明細書
【補正対象項目名】００８２
【補正方法】変更
【補正の内容】
【００８２】
図１４〜１６は、第三の実施形態のさらに別の変形例に係るフェイスマスク１０Ｋの概略図である。
【手続補正３】
【補正対象書類名】明細書
【補正対象項目名】００８３
【補正方法】変更
【補正の内容】
【００８３】
図１４に示すように、フェイスマスク１０Ｋは、実線で表した両頬と顎部分が覆われれるように形成した部分本体部Ｐが、ほうれい線用の局所引っ張り部２５のみを有し、部分的に貼り付けて使用できるように形成されている。このフェイスマスク１０Ｋによれば、顔の中で部分的に気になる箇所の皺を効果的に引き伸ばすことができる。あるいは、図１５に示すように、片頬ずつに分けた部分本体部Ｐが、ほうれい線用の局所引っ張り部２５を有していてもよい。また、図１６に示すように額部分を覆う部分本体部Ｐに第二の実施形態で示した局所引っ張り部２１、２４を有するように形成することもできる。なお、フェイスマスク１０Ｋは、周辺延長部１６ａと粘着部３２を設けていなくてもよい。